(57)【特許請求の範囲】
【請求項１】
壁に固定して設置され、方体の窓枠を構成している既存造作材の外表面を覆ってリフォームするリフォーム用上貼材であって、
可撓性を有する樹脂薄板の表面に樹脂製の化粧シートを貼着し、裏面に溝を有して前記既存造作材の外表面上で該既存造作材の背面から側面にかけてＬ形状に覆う第１上貼材と、
可撓性を有する樹脂薄板の表面に樹脂製の化粧シートを貼着し、裏面に溝を有して前記既存造作材の外表面上で該既存造作材の正面から側面にかけてＬ形状に覆い、かつ側面を覆う側面対向片が前記第１上貼材の側面対向片に平面対接する側面重なり部を形成して覆う第２上貼材と、
前記既存造作材を覆った前記第２上貼材のＬ形長手方向の一側縁を覆う側縁隠し用の第３上貼材とを備え、
前記第３上貼材を、前記既存造作材と該既存造作材を固定するサッシ枠との固定部間に生じたＬ形段差部に逆Ｌ形状に配置し、前記既存造作材と当該第３上貼材の逆Ｌ形状部分との対向面間に前記第２上貼材の側縁を挿入させるコ形収納空間を形成する逆Ｌ形状のサッシ見切材で構成すると共に、
四角形状の化粧板と、見切り片とを備え、前記窓枠のコーナー部の内面を覆うコーナー上貼材を更に具備することを特徴とするリフォーム用上貼材。
【請求項２】
前記溝を、
前記Ｌ形状の少なくとも一片の裏面長手方向に沿って断面Ｖ字形のＶ溝を切欠き形成し、該Ｖ溝を前記Ｌ形状の短手方向に一定間隔に並列して設けたことを特徴とする、請求項１に記載のリフォーム用上貼材。
【発明の詳細な説明】
【技術分野】
【０００１】
本発明は、家屋の窓枠や無目枠等を構築している造作部材の外表面を覆ってリフォームするリフォーム用上貼材に関する。
【背景技術】
【０００２】
一般に、住宅等の室内は木製により直方体に形作られた造作部材を用いて窓枠、ドア枠、無目枠、巾木、回り縁などが作られて壁に固定されている。
【０００３】
これらの既存の造作部材（以下、既存造作材と称す）は建物の経年変化や室内に構築された場所によっては次第に劣化し、この劣化度合いに基づいて適宜リフォームが施されていた。例えば、窓枠の場合は直射日光が当たったり、結露で濡れたりするため窓枠を構築している既存造作材が傷みやすくなる。このような窓枠を比較的簡単にリフォームする一手段として窓枠に塗装を施す方法が知られている。ところが、塗装によるリフォームでは、リフォーム完了後の施工面がリフォーム本来の強度、美観および意匠性等に乏しく、満足できるものではなかった。
【０００４】
さらに、様々な種類の既存造作材に対してもリフォームできるように、既存造作材の最大厚さにも対処できる大型のリフォーム部材となっていた。このため、既存造作材の厚さが比較的小さい場合であっても全て大きくリフォームしてしまい、大型サイズの仕上がりとなっていた。
【０００５】
また、窓枠を新たに取り替える方法では、元通りにはなるが施工時に既存造作材を固定していた壁を破壊し、再び修復しなければならず、造作材を取り替える一連の作業に大掛かりな工事が必要となる。
【０００６】
このため、既存造作材を包むように嵌合して覆うコ形材を作成し、このコ形内に補強材を入れて補強しつつリフォームするようにしたリフォーム用窓枠が提案されている(例えば特許文献１参照)。このようなコ形材をリフォーム材として用いれば、既存造作材の上からリフォーム材を重ねるように覆って取り付けるため大掛かりな工事は不要になる。
【０００７】
しかし、リフォームする現場では施工する際に、既存造作材の寸法に合わせてリフォーム材をコ形に折り曲げて形作るリフォーム作業を必要とし、現場での組み立て作業工数が多く、面倒な施工となっていた。
【０００８】
一方、断面Ｌ字型の薄板を用い、この薄板の裏面にＶ字型などの切り溝を複数設けておき、いずれかの切り溝を選択して所望の形状や寸法に容易に切断できるようにし、現場での作業を効率よく行えるようにしたものが提案されている(例えば特許文献２参照)。
【先行技術文献】
【特許文献】
【０００９】
【特許文献１】特開２００５−１２７０６７号公報
【特許文献２】特開２００４−１０７８７７号公報
【発明の概要】
【発明が解決しようとする課題】
【００１０】
しかしながら、この場合は断面Ｌ字型の薄板縁部が切りっ放しであって、この断面Ｌ字型の薄板を窓枠等のリフォーム材として用いた際に、断面Ｌ字型の薄板縁部を精度よく位置合わせできない場合がある。例えば、断面Ｌ字型の薄板縁部を窓枠に当接させて精度良くリフォームができるよう設定されている場合は、正確に切断しないと薄板縁部と窓枠との間に隙間が発生してしまう。隙間が発生すると、この隙間より既存造作材の一部が露出して美観が損なわれ、意匠性が低下する問題を有していた。
【００１１】
そこで、本発明の主たる課題は、既存造作材の外表面をリフォームする際に、Ｌ形状の薄い樹脂板で既存造作材の表面を覆うことにより手間が掛からず簡単に施工でき、しかも隙間を綺麗に覆って仕上げることができる意匠性の高い施工を可能にしたリフォーム用上貼材を提供することである。
【課題を解決するための手段】
【００１２】
請求項１に記載した発明は、「壁３０に固定して設置され、方体の窓枠を構成している既存造作材２０の外表面を覆ってリフォームするリフォーム用上貼材１０であって、
可撓性を有する樹脂薄板の表面に樹脂製の化粧シート７０を貼着し、裏面に溝を有して前記既存造作材２０の外表面上で該既存造作材２０の背面２１から側面２２ｂにかけてＬ形状に覆う第１上貼材４０と、
可撓性を有する樹脂薄板の表面に樹脂製の化粧シート７０を貼着し、裏面に溝を有して前記既存造作材２０の外表面上で該既存造作材２０の正面２３から側面２２ｂにかけてＬ形状に覆い、かつ側面２２ｂを覆う側面対向片５０ｂが前記第１上貼材４０の側面対向片４０ｂに平面対接する側面重なり部ｈを形成して覆う第２上貼材５０と、
前記既存造作材２０を覆った前記第２上貼材５０のＬ形長手方向の一側縁５０ｃを覆う側縁隠し用の第３上貼材９０とを備え、
前記第３上貼材９０を、前記既存造作材２０と該既存造作材２０を固定するサッシ枠３２との固定部間に生じたＬ形段差部３３に逆Ｌ形状に配置し、前記既存造作材２０と当該第３上貼材９０の逆Ｌ形状部分との対向面間に前記第２上貼材５０の側縁５０ｃを挿入させるコ形収納空間９１を形成する逆Ｌ形状のサッシ見切材で構成すると共に、
四角形状の化粧板１０１と、見切り片１０２とを備え、前記窓枠のコーナー部の内面を覆うコーナー上貼材１００を更に具備する」ことを特徴とするリフォーム用上貼材１０である。
【００１３】
この発明では、第１、第２上貼材４０，５０は可撓性を有する薄い樹脂板であるため、既存造作材２０の外表面に追従した状態に覆って既存造作材２０をリフォームすることができる。
【００１４】
また、第１上貼材４０と第２上貼材５０とが重なる側面重なり部ｈでは、上貼材４０，５０同士が平面対接した状態で既存造作材２０の側面２２ｂを覆うことになる。換言すれば、既存造作材２０を背面２１側から折曲して側面２２ｂを覆う部分と正面２３側から折曲して側面２２ｂを覆う部分とで側面２２ｂを一部重なった状態に覆い、この結果、側面重なりする部分が既存造作材２０の厚さ方向に追従して重なり度合いが変化するため、既存造作材２０の厚みに対応して覆うことができる。
【００１５】
また、第３上貼材９０を備えることで第２上貼材５０の側縁５０ｃを覆い隠すことが可能になり、これらの側縁５０ｃを正確に切断しなくてもよくなり、現場での施工が容易になる。
【００１６】
さらに、既存造作材２０の正面全体を第２上貼材５０で覆うような場合、この既存造作材２０の正面２３と該第２上貼材５０の側縁５０ｃ部分との間は、逆Ｌ形状の見切り上貼材（第３上貼材）９０で覆うため、ラフな切断をしても第２上貼材５０の側縁５０ｃをコ形収納空間９１に収納させて見映えの良いリフォーム面を施工することができる。
【００１７】
そして、窓枠のコーナー部の内面を覆うコーナー上貼材１００を更に具備しているので、より完成度の高いリフォームを実現することができる。
【００１８】
請求項２に記載した発明は、請求項１に記載のリフォーム用上貼材１０において、「前記溝を、
前記Ｌ形状の少なくとも一片の裏面長手方向に沿って断面Ｖ字形のＶ溝８０を切欠き形成し、該Ｖ溝８０を前記Ｌ形状の短手方向に一定間隔に並列して設けた」ことを特徴とする。
【００１９】
この発明では、いずれかのＶ溝８０の位置を切断位置として用いることができる。これにより、必要な長さのリフォーム用上貼材１０を簡単に作ることができる。また、Ｖ溝８０が既存造作材２０との対向面間での接着剤溜まりとなり、安定した接着性能が得られる。
【発明の効果】
【００２２】
本発明によれば、既存造作材２０の外表面をリフォームする際、Ｌ形状の薄い樹脂板で既存造作材２０の表面を覆うことにより手間が掛からず簡単に施工でき、しかも隙間を綺麗に覆って仕上げることができる意匠性の高い施工を可能にしたリフォーム用上貼材１０を提供することができる。
【図面の簡単な説明】
【００２３】
【図１】は本発明のリフォーム用上貼材を用いて無目枠をリフォームした状態を示す横断平面図である。
【図２】本発明のリフォーム用上貼材を用いて無目枠をリフォームする前の状態を分解して示す説明図である。
【図３】(Ａ)は本発明の第３上貼材を示す平面図、(Ｂ)は本発明の第３上貼材を一部削除して示す正面図、(Ｃ)は本発明の第３上貼材の使用状態を示す正面図である。
【図４】本発明のリフォーム用上貼材を用いて窓枠をリフォームした状態を示す縦断面図である。
【図５】本発明のリフォーム用上貼材を用いて窓枠をリフォームする前の状態を分解して示す説明図である。
【図６】本発明による窓枠のコーナーを覆うコーナー上貼材の使用状態を示す斜視図である。
【図７】(Ａ)は本発明のコーナー上貼材を示す正面図、(Ｂ)は本発明のコーナー上貼材の内面側を示す側面図、(Ｃ)は本発明のコーナー上貼材の外面側を示す平面図である。
【発明を実施するための形態】
【００２４】
以下、本発明を図示実施例に従って説明する。図面は本発明のリフォーム用上貼材１０を使用した一例を示している。図１は無目枠を構成している既存造作材２０をリフォームした状態を示している。
【００２５】
この無目枠は扉の付かない壁３０の開口部を木製の直方体で上下左右を囲った枠材であり、図１では既存造作材２０の背面２１側中央部が壁３０と対向し、この壁３０の内部に構築されている固定部材３１により既存造作材２０は固定されている。そして、この既存造作材２０の背面２１の両側と、両側の側面２２ａ，２２ｂと、正面２３との露出されている外表面がリフォーム対象面となり、後述するリフォーム用上貼材１０によって覆われる。
【００２６】
上述のリフォーム用上貼材１０は、第１上貼材４０と、第２上貼材５０と、第３上貼材６０とから構成される。  
【００２７】
第１上貼材４０は、既存造作材２０の外表面上で背面２１から一側面（図１では左側）２２ａにかけてＬ形状に覆う第１側面上貼材４１と、既存造作材２０の外表面上で背面２１から他側面（図１では右側）２２ｂにかけてＬ形状に覆う第２側面上貼材４２とを左右一対に有して構成される。
【００２８】
第１側面上貼材４１は、例えばＡＢＳ樹脂等の樹脂材で可撓性を有するＬ形状の薄板に形成されている。このＬ形状の一片が既存造作材２０の背面２１の左側に対向して覆う背面対向片４１ａとなり、Ｌ形状の他片が既存造作材２０の一側面２２ａに対向して覆う一側面対向片４１ｂとなる。そして、このＬ形樹脂薄板の表面に、図２に一部を拡大して示すように、オレフィンシート等の薄い樹脂製の化粧シート７０を貼着して表面の美観を高めている。一方、Ｌ形樹脂薄板の背面対向片４１ａの裏面には、長手方向（無目枠の枠周方向）に沿って断面Ｖ字形のＶ溝８０を切欠き形成している。このＶ溝８０は、図２に一部を拡大して示すように、背面対向片４１ａの短手方向（既存造作材２０の幅方向）に複数のＶ溝８０を一定間隔に並列させて設けている。
【００２９】
上述のＶ溝８０は第１側面上貼材４１の背面対向片４１ａを所定の長さで切断できるように切り溝として切断部位の役目と、接着剤を用いて貼着される時の接着剤溜まりに寄与させる役目とを有している。このＶ溝８０を設けることで背面対向片４１ａの長さを一部切断ｃして長さ調整できるようにし、第１側面上貼材４１の取付時に壁３０の固定部材３１外面と背面対向片４１ａの側縁４１ｃとの対向面間の隙間Ｌが最小となるように構成されている。なお、この隙間Ｌ部分に対しては既存造作材２０の背面２１で見え難いので背面対向片４１ａの側縁４１ｃを覆い隠すような見切り材は省略する。また、接着剤は液状の接着剤に代えて両面テープを用いてもよい。
【００３０】
また、一側面対向片４１ｂは既存造作材２０の一側面２２ａを覆うように平面対接して配置される。この際、一側面対向片４１ｂは既存造作材２０の厚さｔより短く設定して、この一側面対向片４１ｂが既存造作材２０の一側面２２ａを覆った時に一側面対向片４１ｂの側縁４１ｄが既存造作材２０の正面側に出ないようにしている。
【００３１】
第２側面上貼材４２は、上述した第１側面上貼材４１と同一の構造を有して構成される。この第２側面上貼材４２は既存造作材２０の右側を覆い、左側を覆う第１側面上貼材４１とは左右対称に配置される。よって、左右の配置位置が異なるだけで同じ構造であるため、その同一構造の説明は省略する。
【００３２】
この第２側面上貼材４２が配置される場合も、Ｌ形状の一片が既存造作材２０の背面２１の右側に対向して覆う背面対向片４２ａとなり、Ｌ形状の他片が既存造作材２０の他側面２２ｂに対向して覆う他側面対向片４２ｂとなって配置されることになる。このように、第１側面上貼材４１と第２側面上貼材４２とは既存造作材２０の左右両側の背面２１と側面２２ａ，２２ｂを左右対称に覆う構成となっている。
【００３３】
第２上貼材５０は、既存造作材２０の外表面上で正面２３から一側面２２ａにかけてＬ形状に覆う第１正面上貼材５１と、既存造作材２０の外表面上で正面２３から他側面２２ａにかけてＬ形状に覆う第２正面上貼材５２とを左右一対に有して構成される。
【００３４】
第１正面上貼材５１は、例えばＡＢＳ樹脂等の樹脂材で可撓性を有するＬ形状の薄板に形成されている。このＬ形状の一片が既存造作材２０の正面２３に対向して覆う正面対向片５１ａとなり、他片が既存造作材２０の一側面２２ａに一側面対向片４１ｂを隔てて対向して覆う一側面対向片５１ｂとなる。そして、このＬ形樹脂薄板の表面に、図２に一部を拡大して示すように、オレフィンシート等の薄い樹脂製の化粧シート７０を貼着して表面の美観を高めている。一方、Ｌ形樹脂薄板の正面対向片５１ａの裏面には長手方向（無目枠の枠周方向）に沿って断面Ｖ字形のＶ溝８０を切欠き形成している。このＶ溝８０は、図２に一部を拡大して示すように、Ｖ溝８０を正面対向片５１ａの短手方向（既存造作材２０の幅方向）に複数のＶ溝８０を一定間隔に並列させて設けている。
【００３５】
上述のＶ溝８０は第１正面上貼材５１の正面対向片５１ａを所定の長さで切断できるように切り溝として切断部位の役目と、接着剤を用いて貼着される時の接着剤溜まりに寄与させる役目とを有している。このＶ溝８０を設けることで正面対向片５１ａの長さを一部切断ｃして長さ調整できるようにし、第１正面上貼材５１の取付時に後述する第３上貼材６０と正面対向片５１ａの側縁５１ｃとの対向面間の隙間Ｌが最小となるように構成されている。なお、この隙間Ｌ部分に対しては既存造作材２０の正面中央に備えられる後述の第３上貼材６０によって隠れる。このため、正面対向片５１ａの側縁５１ｃが外部に露出されることはない。また、接着剤は液状の接着剤に代えて両面テープを用いてもよい。
【００３６】
また、一側面対向片５１ｂは既存造作材２０の一側面２２ａを覆うように平面対接して配置される。この際、一側面対向片５１ｂは既存造作材２０の厚さｔより短く設定して、この一側面対向片５１ｂが既存造作材２０の一側面２２ａを覆った時に一側面対向片５１ｂの側縁５１ｄが既存造作材２０の背面２１側に出ないようにしている。さらに、この一側面対向片５１ｂにあっては、既存造作材２０の一側面２２ａと対向した際に、一側面対向片４１ｂを隔てて一側面対向片５１ｂが対向し、既存造作材２０の一側面２２ａで一側面対向片４１ｂの上面に一側面対向片５１ｂが平面対接して重なる側面重なり部ｈを形成して覆う構造を有している。
【００３７】
これにより、既存造作材２０の一側面２２ａは、背面２１側から折曲して覆う一側面対向片４１ｂと正面側から折曲して覆う一側面対向片５１ｂとが重なる側面重なり部ｈで覆われる。このとき、側面重なり部ｈによる２枚の薄板の厚さ分しか側方に突出せず、既存造作材２０の一側面２２ａに対する出が小さい被覆構造となる。
【００３８】
特に、側面重なり部ｈは一側面対向片４１ｂと一側面対向片５１ｂとが平面対接した際、一側面対向片５１ｂが既存造作材２０の厚さｔ方向にスライド許容された状態で覆う重なり構造が得られる。この重なり構造により既存造作材２０の厚さｔに応じて一側面対向片５１ｂが厚さｔの方向にスライドして追従し、既存造作材２０の厚さに対応させて覆うことができる。
【００３９】
第２正面上貼材５２は、上述した第１正面上貼材５１と同一の構造を有して構成される。この第２正面上貼材５２は既存造作材２０の右側を覆い、左側を覆う第１正面上貼材５１とは左右対称に配置される。よって、左右の配置位置が異なるだけで同じ構造であるため、その同一構造の説明は省略する。
【００４０】
この第２正面上貼材５２が配置される場合も、Ｌ形状の一片が既存造作材２０の正面２３の右側に対向して覆う正面対向片５２ａとなり、Ｌ形状の他片が既存造作材２０の他側面２２ｂに対向して覆う他側面対向片５２ｂとなって配置されることになる。このように、第１正面上貼材５１と第２正面上貼材５２とは既存造作材２０の左右両側の正面２３と側面２２ａ，２２ｂを左右対称に覆う構成となっている。
【００４１】
第３上貼材６０は、図３(Ａ)に示すように、ＡＢＳ樹脂等の樹脂材で可撓性を有する薄板で断面エの字形に形成されている。この断面エの字形は上側と下側とで平行する水平片を有し、このうち上側に位置する短幅の水平片が取付時に外側に位置して配設される外面片６１となり、下側に位置する長幅の水平片が取付時に内側に位置して貼着される上貼用の内面片６２となる。さらに、外面片６１と内面片６２とを上下につなぐ断面エの字形の中央部に仕切片６３を有している。この仕切片６３は、上下に平行する外面片６１と内面片６２との平行面間で、上述の第１正面上貼材５１と第２正面上貼材５２を左右の水平方向から挿入させて支持する上貼材厚さの収納支持間隔を確保している。
【００４２】
これにより、仕切片６３の左側には、上下に平行する外面片６１と内面片６２と平行面間の中央部を仕切って閉鎖している仕切片６３とでコ形に囲まれるコ形収納部６４が形成され、ここに正面対向片５１ａの側縁５１ｃが収納支持される（図２および図３(Ｃ)参照）。また、仕切片６３の右側には上下に平行する外面片６１と内面片６２と平行面間の中央部を仕切って閉鎖している仕切片６３とで逆向きのコ形に囲まれるコ形収納部６５が形成され、ここに正面対向片５２ａの側縁５２ｃが収納支持される（図２および図３(Ｃ)参照）。
【００４３】
即ち、第３上貼材６０は、中央部の仕切片６３を境とする左右両側に相反する向きのコ形収納部６４，６５が形成されている。そして、これらのコ形収納部６４，６５に、左側の正面対向片５１ａの側縁５１ｃと右側の正面対向片５２ａの側縁５２ｃとを既存造作材２０の正面２３上で両側より対向させ、その対向する両側の側縁５１ｃ，５２ｃ部分を突き合せ状態に挿入させて収納支持する収納支持構造を有している。
【００４４】
さらに、第３上貼材６０は取付時に露出される外面片６１に対し、その外面片６１には図３(Ａ)および図３(Ｂ)に示すように、オレフィンシート等の薄い樹脂製の化粧シート７０を貼着して表面の美観を高めている。また、内面片６２は既存造作材２０の正面に平面対接して貼着される上貼材となるため外面片６１よりも広幅に設けている。さらに、図３(Ｃ)に示すように、第３上貼材６０で正面対向片５１ａの側縁５１ｃと正面対向片５２ａの側縁５２ｃとを覆った状態で収納支持するため、正面２３から両側の側縁部分は外面片６１により隠れて見えず、第３上貼材６０が左右の上貼材を接合させる接合機能と、その接合部分を隠す見切り上貼材としての見切り機能を有している。
【００４５】
また、左右の正面対向片５１ａ，５２ａはコ形収納部６４，６５の突き合せ方向のコ形収納長さ分だけ突き合せ方向にスライド許容されて取り付け位置を調整することができる。なお、左右のコ形収納部６４，６５において、仕切片６３と、左右の正面対向片５１ａ，５２ａの側縁５１ｃ，５２ｃとの突き合せ面間に形成される隙間Ｌ（図１参照）が最小となるように考慮して左右の正面対向片５１ａ，５２ａを最適な長さに切断して収納支持させる。
【００４６】
このように構成されたリフォーム用上貼材１０を用いて無目枠の既存造作材２０をリフォームする際は、まず既存造作材２０の背面２１側から覆う第１側面上貼材４１と第２側面上貼材４２を既存造作材２０の左右に貼り付けて取り付ける。このとき、一側面対向片４１ｂが一側面２２ａに、他側面対向片４２ｂが他側面２２ｂに平面対接するようにそれぞれ背面対向片４１ａおよび背面対向片４２ａの長さを確認し、長ければ側面２２ａ，２２ｂに平面対接できないので最適な長さとなるようにＶ溝８０の位置を選択して切断する。そして、Ｖ溝８０を有する左右の背面対向片４１ａ，４２ａの内面に接着剤を塗布または両面テープを貼着、あるいはこれらを併用し、かつ左右の側面対向片４１ｂ，４２ｂの内面に両面テープを貼着した状態で既存造作材２０の左右の背面２１から側面２２ａ，２２ｂにかけて第１側面上貼材４１と第２側面上貼材４２を個々に上貼りして接着固定する。
【００４７】
続いて、既存造作材２０の正面２３中央に、第３上貼材６０の内面片６２に備えられている例えば両面テープを貼着して第３上貼材６０を断面エ形状に上貼りする。その後、第３上貼材６０に形成されている左側のコ形収納部６４に対し、左側の正面対向片５１ａを挿入させて取り付け、右側のコ形収納部６５に対し、右側の正面対向片５２ａを挿入させて取り付ける。このとき、一側面対向片５１ｂを正面２３に沿ってスライドさせるだけで左側のコ形収納部６４に簡単に挿入させることができる。同じく、他側面対向片５２ｂを正面２３に沿ってスライドさせるだけで右側のコ形収納部６５に簡単に挿入させることができる。
【００４８】
そして、一側面対向片５１ｂが一側面対向片４１ｂに、他側面対向片５２ｂが他側面対向片４２ｂに平面対接して側面重なり部ｈを形成した時点で一つの既存造作材２０に対するリフォームが完了する。なお、リフォーム施工前に予め左側の正面対向片５１ａおよび右側の正面対向片５２ａの長さが長過ぎないか否かを確認し、長ければ最適な長さとなるように適宜のＶ溝８０の位置で切断する。
【００４９】
上述したように、各上貼材４１，４２，５１，５２，６０は可撓性を有する薄い樹脂板であるため、既存造作材２０の外表面に追従し易く、外表面に柔軟に対応した状態に覆って既存造作材２０をリフォームすることができる。
【００５０】
さらに、側面重なり部ｈでは、背面２１側から折曲して既存造作材２０の側面２２ａ，２２ｂを覆う左右の側面対向片４１ｂ，４２ｂの部分と、正面２３側から折曲して側面２２ａ，２２ｂを覆う左右の側面対向片５１ｂ，５２ｂの部分とで既存造作材２０の側面２２ａ，２２ｂを重なった状態で覆うことになる。
【００５１】
この重なり部分では重なり方向で平面対接して覆うだけでなく、右側で重なる側面対向片４１ｂ，５１ｂおよび左側重なる側面対向片４２ｂ，５２ｂは既存造作材２０の厚さｔ方向で互いに近づくように延びて重なっているため既存造作材２０の厚さｔ度合いに追従して重なり度合いが変化することになる。このため、リフォーム時に既存造作材２０の厚さｔが異なっていても、これらの既存造作材２０の厚さｔに追従して覆うことになり、厚さの異なる多くの種類の既存造作材２０に広く適用することができる。
【００５２】
また、第３上貼材６０を備えることで左右の正面上貼材５１，５２の側縁５１ｃ，５２ｃを覆い隠すことが可能になり、これらの側縁５１ｃ，５２ｃを正確に切断しなくてもよくなり、現場での施工が容易になる。
【００５３】
なお、これらの第１側面上貼材４１、第２側面上貼材４２、第１正面上貼材５１および第２正面上貼材５２が上貼りされた時、接着剤を用いた場合はその上貼面のＶ溝８０が接着剤溜まりとなるため安定した接着性能が得られる。
【００５４】
このように、背面２１側が固定された既存造作材２０の主に正面２３および側面２２ａ，２２ｂをリフォームする場合、第１側面上貼材４１と第２側面上貼材４２とで既存造作材２０の背面２１側から側面２２ａ，２２ｂにかけて覆い。また、第１正面上貼材５１と第２正面上貼材５２とで既存造作材２０の正面２３を左右より覆うように分けて、正面２３から側面２２ａ，２２ｂにかけて覆うことができる。つまり、既存造作材２０の方体の外形状に沿わせて外表面を覆うことができるため、元の既存造作材２０の大きさとほとんど変わらない大きさでリフォームすることができる。
【００５５】
さらに、方体の角部を基準にＬ形状に個別に覆う構造であるため、方体の角部に各上貼材４１、４２、５１、５２がピッタリ合う。したがって、一枚板を複数回折り曲げてコ形状にするのではないため角部での寸法誤差が生じず、簡単に精度の良いリフォームができる。
【００５６】
次に、リフォーム用上貼材１０で窓枠をリフォームした場合を図４乃至図７に基づいて説明する。  
【００５７】
図４は窓枠を構成している既存造作材２０をリフォーム用上貼材１０によりリフォームした状態を示している。この既存造作材２０の一例では下面（以下背面と称す）２１側が壁３０と対向し、この壁３０の内部に構築されている固定部材３１により既存造作材２０の背面２１が固定されている。この既存造作材２０の背面２１の室内側Ｒ１（図４では右側）と、室内側Ｒ１の側面２２ｂと、上面（以下正面と称す）２３との露出されている外表面がリフォーム対象面となり、後述するリフォーム用上貼材１０によって覆われる。
【００５８】
上述のリフォーム用上貼材１０は、第１上貼材４０と、第２上貼材５０と、第３上貼材（サッシ見切材）９０とから構成される。  
【００５９】
第１上貼材４０は、既存造作材２０の外表面上で背面２１から室内側Ｒ１の側面（図４では右側）２２ｂにかけてＬ形状に覆うＬ形の上貼材を有して構成される。
【００６０】
この第１上貼材４０は、例えばＡＢＳ樹脂等の樹脂材で可撓性を有するＬ形状の薄板に形成されている。このＬ形状の一片が既存造作材２０の背面２１の右側に対向して覆う背面対向片４０ａとなり、Ｌ形状の他片が既存造作材２０の室内側Ｒ１の側面２２ｂに対向して覆う側面対向片４０ｂとなる。そして、このＬ形樹脂薄板の表面に、図５に一部を拡大して示すように、オレフィンシート等の薄い樹脂製の化粧シート７０を貼着して表面の美観を高めている。一方、Ｌ形樹脂薄板の背面対向片４０ａの裏面には、長手方向（窓枠の枠周方向）に沿って断面Ｖ字形のＶ溝８０を切欠き形成している。このＶ溝８０は、図５に一部を拡大して示すように、Ｖ溝８０を背面対向片４０ａの短手方向（既存造作材２０の幅方向）に複数のＶ溝８０を一定間隔に並列させて設けている。
【００６１】
上述のＶ溝８０は第１上貼材４０の背面対向片４０ａを所定の長さで切断できるように切り溝として切断部位の役目と、接着剤を用いて貼着される時の接着剤溜まりに寄与させる役目とを有している。このＶ溝８０を設けることで背面対向片４０ａの長さを一部切断ｃして長さ調整できるようにし、第１上貼材４０の取付時に壁３０の固定部材３１外面と背面対向片４０ａの側縁４０ｃとの対向面間の隙間Ｌが最小となるように構成されている。なお、この隙間Ｌ部分に対しては既存造作材２０の背面２１で見え難いので背面対向片４０ａの側縁４０ｃを覆い隠すような見切り上貼材は省略する。また、接着剤は液状の接着剤に代えて両面テープを用いてもよい。
【００６２】
また、側面対向片４０ｂは既存造作材２０の室内側Ｒ１の側面２２ｂを覆うように平面対接して配置される。この際、側面対向片４０ｂは既存造作材２０の厚さｔより短く設定して、この一側面対向片４０ｂが既存造作材２０の側面２２ｂを覆った時に一側面対向片４０ｂの側縁４０ｄが既存造作材２０の正面２３側に出ないようにしている。このように、第１上貼材４０は既存造作材２０の室内側Ｒ１の背面２１と側面２２ｂとを覆う構成となっている。
【００６３】
第２上貼材５０は、既存造作材２０の外表面上で正面２３から室内側Ｒ１の側面２２ｂにかけてＬ形状に覆うＬ形の上貼材を有して構成される。この第２上貼材５０は、例えばＡＢＳ樹脂等の樹脂材で可撓性を有するＬ形状の薄板に形成されている。このＬ形状の一片が既存造作材２０の正面２３に対向して覆う正面対向片５０ａとなり、他片が既存造作材２０の室内側Ｒ１の側面２２ｂに側面対向片４０ｂを隔てて対向して覆う側面対向片５０ｂとなる。そして、このＬ形樹脂薄板の表面に、図５に一部を拡大して示すように、オレフィンシート等の薄い樹脂製の化粧シート７０を貼着して表面の美観を高めている。一方、Ｌ形樹脂薄板の正面対向片５０ａの裏面には長手方向（窓枠の枠周方向）に沿って断面Ｖ字形のＶ溝８０を切欠き形成している。このＶ溝８０は、図５に一部拡大して示すように、Ｖ溝８０を正面対向片５０ａの短手方向（既存造作材２０の幅方向）に複数のＶ溝８０を一定間隔に並列させて設けている。
【００６４】
上述のＶ溝８０は第２上貼材５０の正面対向片５０ａを所定の長さで切断できるように切り溝として切断部位の役目と、接着剤を用いて貼着される時の接着剤溜まりに寄与させる役目とを有している。このＶ溝８０を設けることで正面対向片５０ａの長さを一部切断ｃして長さ調整できるようにし、第２上貼材５０の取付時に後述する第３上貼材（サッシ見切材）９０と正面対向片５０ａの側縁５０ｃとの対向面間の隙間Ｌが最小となるように構成されている。なお、この隙間Ｌ部分に対しては既存造作材２０の正面室外側Ｒ２に備えられる後述の第３上貼材（サッシ見切材）９０によって隠れる。このため、正面対向片５０ａの側縁５０ｃが室内で露出されることはない。また、接着剤は液状の接着剤に代えて両面テープを用いてもよい。
【００６５】
また、側面対向片５０ｂは既存造作材２０の室内側Ｒ１の側面２２ｂを覆うように平面対接して配置される。この際、側面対向片５０ｂは既存造作材２０の厚さｔより短く設定して、この側面対向片５０ｂが既存造作材２０の側面２２ｂを覆った時に側面対向片５０ｂの側縁５０ｄが既存造作材２０の背面２１側に出ないようにしている。さらに、この側面対向片５０ｂにあっては、既存造作材２０の室内側Ｒ１の側面２２ｂと対向した際に、側面対向片４０ｂを隔てて側面対向片５０ｂが対向し、既存造作材２０の室内側Ｒ１の側面２２ｂで側面対向片４０ｂの上面に側面対向片５０ｂが平面対接して重なる側面重なり部ｈを形成して覆う構造を有している。
【００６６】
これにより、既存造作材２０の室内側Ｒ１の側面２２ｂは、背面２１側から折曲して覆う側面対向片４０ｂと正面２３側から折曲して覆う側面対向片５０ｂとが重なる側面重なり部ｈで覆われる。このとき、側面重なり部ｈによる２枚の薄板の厚さ分しか側方に突出せず、既存造作材２０の室内側Ｒ１の側面２２ｂに対する出が小さい被覆構造となる。
【００６７】
特に、側面重なり部ｈは側面対向片４０ｂと側面対向片５０ｂとが平面対接した際、側面対向片５０ｂが既存造作材２０の厚さｔ方向にスライド許容された状態で覆う重なり構造が得られる。この重なり構造により既存造作材２０の厚さｔに応じて側面対向片５０ｂが厚さｔの方向にスライドして追従し、既存造作材２０の厚さに対応させて覆うことができる。
【００６８】
この側面対向片５０ｂの長さは厚さｔより短く設けるが、この側面対向片５０ｂの長さを比較的長く設けておけば、様々な既存造作材２０の厚さｔに対応させてスライド調整する調整装置を増やすことができる。このように、第２上貼材５０は既存造作材２０の室内側Ｒ１の正面２３と側面２２ｂとを覆う構成となっている。
【００６９】
第３上貼材（サッシ見切材）９０は、窓枠の周方向に配置されるアルミサッシ枠（以下サッシ枠と称す）３２と隣接して取り付けられる。このため、アルミニウム板が適しており、このアルミニウム板により逆Ｌ形状に形成されている。そして、この第３上貼材（サッシ見切材）９０が既存造作材２０と、該既存造作材２０を室外側Ｒ２より固定するサッシ枠３２との対向部間に生じたＬ形段差部３３に逆Ｌ形状に配置される。これにより、既存造作材２０の室外側Ｒ２上面には該既存造作材２０の上面と第３上貼材（サッシ見切材）９０の下面とによる逆Ｌ形部分との対向面間にコ形収納空間９１が形成される。そして、このコ形収納空間９１に正面対向片５０ａの側縁５０ｃが挿入される。
【００７０】
このように第３上貼材（サッシ見切材）９０が正面対向片５０ａの側縁５０ｃを覆った状態に収納支持する。このため、室内側Ｒ１からは正面対向片５０ａの側縁５０部分はサッシ見切材９０により隠れて見えず、このサッシ見切材９０が見切り材としての役目と正面対向片５０ａの側縁５０を収納支持する役目とを有している。
【００７１】
また、コ形収納空間９１への挿入方向のコ形収納長さ分だけ正面対向片５０ａは水平な挿入方向にスライドさせて取り付け位置を調整することができる。したがって、ある長さに切断された正面対向片５０ａは、コ形収納空間９１で正面対向片５０ａの側縁５０ｃとの間に形成される隙間Ｌが最小となるように収納支持される。
【００７２】
このように構成されたリフォーム用上貼材１０を用いて窓枠の既存造作材２０をリフォームする際は、まず第１上貼材４０を既存造作材２０の室内側Ｒ１に貼り付けて取り付ける。このとき、側面対向片４０ｂが室内側Ｒ１の側面２２ｂに平面対接するように背面対向片４０ａの長さを確認し、長ければ側面２２ｂに平面対接できないので最適な長さとなるように適宜のＶ溝８０の位置を選択して切断する。そして、Ｖ溝８０を有する背面対向片４０ａの内面に接着剤を塗布または両面テープを貼着、あるいはこれらを併用し、側面対向片４０ｂの内面に両面テープを貼着した状態で既存造作材２０の背面２１から側面２２ｂにかけて第１上貼材４０を上貼りして接着固定する。
【００７３】
続いて、第３上貼材（サッシ見切材）９０を既存造作材２０とサッシ枠３２との間に形成されたＬ形段差部３３に配置した後、サッシ見切材９０に形成されているコ形収納空間９１に対し、正面対向片５０ａの側縁５０ｃ側を挿入させて取り付ける。このとき、側面対向片５０ｂが側面対向片４０ｂに平面対接して側面重なり部ｈを形成した時点で一つの既存造作材２０に対するリフォームが完了する。なお、リフォーム施工前に正面対向片５０ａの長さが長過ぎないか否かを確認し、長ければ最適な長さとなるように適宜のＶ溝８０の位置で切断する。
【００７４】
上述したように、これらの各上貼材４０，５０は可撓性を有する薄い樹脂板であるため、既存造作材２０の外表面に追従した状態に覆って既存造作材２０をリフォームすることができる。
【００７５】
さらに、側面重なり部ｈでは、背面２１側から折曲して既存造作材２０の側面２２ｂを覆う側面対向片４０ｂの部分と、正面２３側から折曲して側面２２ｂを覆う側面対向片５０ｂの部分とで既存造作材２０の側面２２ｂを重なった状態で覆うことになる。この重なり部分では重なり方向で平面対接して覆うだけでなく、第１上貼材４０と第２上貼材５０とが既存造作材２０の厚さｔ方向で互いに近づくように延びて重なっているため既存造作材２０の厚さｔ度合いに追従して重なり度合いが変化することになる。このため、リフォーム時に既存造作材２０の厚さｔが異なっていても、これらの既存造作材２０の厚さｔにかかわらず追従して覆うことになり、厚さｔの異なる多くの種類の既存造作材２０に広く適用することができる。また、第３上貼材（サッシ見切材）９０を備えることで正面上貼材５０ａの側縁５０ｃを十分に覆い隠すことが可能になり、側縁５０ｃをラフに切断してもよくなり、現場での施工が容易になる。
【００７６】
このように、窓枠の既存造作材２０の外表面をリフォームする場合、第１上貼材４０で既存造作材２０の角部を基準に背面２１側から側面２２ｂにかけて覆い。また、第２上貼材５０で既存造作材２０の角部を基準に正面２３から側面２２ｂにかけて覆うことができる。つまり、既存造作材２０の方体の外形状に沿わせて外表面を覆うことができるため、元の既存造作材２０の大きさとほとんど変わらない大きさでリフォームすることができる。
【００７７】
特に、既存造作材２０の正面全体を第２上貼材５０で全て覆うような場合、この第２上貼材５０の正面対向片５０ａの側縁５０ｃ部分を逆Ｌ形状の第３上貼材（サッシ見切材）９０で覆うため、側縁５０ｃの部分で隙間Ｌが発生するような寸法誤差が生じるような場合であっても、側縁５０ｃをコ形収納空間９１に収納させて覆うため隙間が見えないリフォーム面を施工することができる。
【００７８】
このようにリフォームされる窓枠に対しては、図６に示すように、さらに窓枠のコーナーを覆い隠すコーナー上貼材１００を配設して、より完成度の高いリフォームを実現することができる。図６は窓枠の四隅のコーナーを個々に覆うコーナー上貼材１００の使用状態を示す斜視図を示している。
【００７９】
この窓枠のコーナーでは水平方向に組み込まれた既存造作材２０を覆っている水平方向の第２上貼材５０と垂直方向に組み込まれた既存造作材２０を覆っている垂直方向の第２上貼材５０とが水平方向と垂直方向とから直角に接合されるコーナー部の内面を覆うようにコーナー上貼材１００が上貼りされる。
【００８０】
このコーナー上貼材１００は図７(Ａ)乃至図７(Ｃ)にも示すように、四角形状の化粧板１０１と見切り片１０２とを備えて構成される。化粧板１０１は内面に接着剤により取り付けられる接着剤塗布面１０３が形成され、外面に図示しない化粧面が形成されている。
【００８１】
見切り片１０２は第２上貼材５０の正面対向片５０ａの幅長さと略同長さを有し、第２上貼材５０同士がコーナーで接合するコーナー内面側の接合部分を覆い隠すことができるように接合部分に沿う細長い形状に設けている。また、見切り片１０２の内面には両面テープにより取り付けられる両面テープ取付面１０４が形成され、外面は図示しない化粧面が形成されている。
【００８２】
この発明の構成と、上述の実施例の構成との対応において、この発明の構成は請求項に記載される技術思想に基づいて構成することができ、実施例の構成に限定されるものではない。例えば、上述の実施例では無目枠と窓枠の既存造作材２０をリフォームする例を示したが、これに限らず、ドア枠、巾木、回り縁などにも適用できる。
【符号の説明】
【００８３】
１０…リフォーム用上貼材  ２０…既存造作材  ３０…壁  ４０…第１上貼材  ５０…第２上貼材  ６０，９０…第３上貼材  ７０…化粧シート  ８０…Ｖ溝  ｈ…側面重なり部
【図１】
0005636019.tif 000002
【図２】
0005636019.tif 000003
【図３】
0005636019.tif 000004
【図４】
0005636019.tif 000005
【図５】
0005636019.tif 000006
【図６】
0005636019.tif 000007
【図７】
0005636019.tif 000008